(57)【特許請求の範囲】
【請求項１】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いて、カートリッジ本体の内部に設けたスプールを回転させることより写真フイルムをカートリッジ本体の外部へ送り出すようにしたフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造方法において、
前記蓋部材を開いた後、前記スプールを送出方向へ回転させてフイルム先端をカートリッジ本体内から送り出す第１工程と、送り出されたフイルム先端を巻取り軸に係止してから巻取り軸を回転することにより写真フイルムを巻取り軸の周りに巻きつけ、前記フイルムスクロールをつくる第２工程と、前記フイルムスクロールを巻取り軸ごとフイルムスクロール室に収納するとともにカートリッジ本体をカートリッジ収納室に収納する第３工程と、ユニット本体の背面に裏蓋を装着した後、フイルムスクロールから巻取り軸を抜き取る第４工程とからなり、前記第２工程において、スプールの回転数をカウントし、このカウント値が第１所定値に達した時に少なくとも巻取り軸の減速を開始し、この後、カウント値が第１所定値より大きな第２所定値に達した時に巻取り軸及びスプールの回転を停止してスプールを所定の角度にすることを特徴とするレンズ付きフイルムユニットの製造方法。
【請求項２】
前記カートリッジ本体の側面に露呈したスプールの端部には、鍵穴状のキー溝が形成されており、前記スプールの回転数をカウントするカウント手段は、スプールが写真フイルムの巻取りに従動して１回転する毎に所定角度位置を通過するキー溝を検出し、この検出信号をカウントするものであることを特徴とする請求項１記載のレンズ付きフイルムユニットの製造方法。
【請求項３】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いてカートリッジ本体の内部に設けたスプールを回転させることより写真フイルムをカートリッジ本体の外部へ送り出すとともに、スプールの回転停止位置の制御により表示板をカートリッジ本体の側面に設けられた複数の表示窓のいずれかに露呈させて写真フイルムの使用状況を表示するフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造方法において、
前記蓋部材を開いた後、前記スプールを送出方向へ回転させてフイルム先端をカートリッジ本体内から送り出す第１工程と、送り出されたフイルム先端を巻取り軸に係止してから巻取り軸を回転することにより写真フイルムを巻取り軸の周りに巻きつけ、前記フイルムスクロールをつくる第２工程と、前記フイルムスクロールを巻取り軸ごとフイルムスクロール室に収納するとともにカートリッジ本体をカートリッジ収納室に収納する第３工程と、ユニット本体の背面に裏蓋を装着した後、フイルムスクロールから巻取り軸を抜き取る第４工程とからなり、前記第２工程において、前記スプールが写真フイルムの巻取りに従動して回転される間に、前記複数の表示窓のうち１個又は２個以上の表示窓を通過する表示板の通過回数をカウントし、このカウント値が第１所定値に達した時に少なくとも巻取り軸の減速を開始し、この後、カウント値が第１所定値より大きな第２所定値に達した時に巻取り軸及びスプールの回転を停止してスプールを所定の角度にすることを特徴とするレンズ付きフイルムユニットの製造方法。
【請求項４】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いて、カートリッジ本体の内部に設けたスプールを回転させることより写真フイルムをカートリッジ本体の外部へ送り出すようにしたフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造方法において、
前記蓋部材を開いた後、前記スプールを送出方向へ回転させてフイルム先端をカートリッジ本体内から送り出す第１工程と、送り出されたフイルム先端をスプール状の巻心に係止してから巻心を回転することにより写真フイルムを巻心の周りに巻きつけてフイルムスクロールをつくる第２工程と、前記フイルムスクロールを巻心ごとフイルムスクロール室に収納するとともにカートリッジ本体をカートリッジ収納室に収納する第３工程と、ユニット本体の背面に裏蓋を装着する第４工程とからなり、前記第２工程において、スプールの回転数をカウントし、スプール回転数のカウント値が第１所定値に達した時に少なくとも巻心の回転速度を減速開始し、この後、カウント値が第１所定値より大きな第２所定値に達した時にスプール及び巻心の回転を停止してスプールを所定の角度にすることを特徴とするレンズ付きフイルムユニットの製造方法。
【請求項５】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いて、カートリッジ本体の内部に設けたスプールを回転させることより写真フイルムをカートリッジ本体の外部へ送り出すようにしたフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造装置において、
前記蓋部材を開いた後、前記スプールを送出方向へ回転させてフイルム先端をカートリッジ本体内から送り出すフイルム頭出し手段と、送り出されたフイルム先端を巻取り軸に係止してから巻取り軸を回転することにより写真フイルムを巻取り軸の周りに巻きつけ、前記フイルムスクロールをつくるフイルムスクロール作成手段とを備え、前記フイルムスクロール作成手段は、スプールの回転数をカウントするカウント手段と、スプール回転数のカウント値が第１所定値に達した時に少なくとも巻取り軸の減速を開始し、この後、カウント値が第１所定値より大きな第２所定値に達した時に巻取り軸及びスプールの回転を停止してスプールを所定の角度にする制御手段とからなることを特徴とするレンズ付きフイルムユニットの製造装置。
【請求項６】
前記カートリッジ本体の側面に露呈したスプールの端部には、鍵穴状のキー溝が形成してあり、前記スプールの回転数をカウントするカウント手段は、スプールが写真フイルムの巻取りに従動して１回転する毎に所定角度位置を通過するキー溝を検出するセンサと、この検出信号をカウントするカウンタとからなることを特徴とする請求項５記載のレンズ付きフイルムユニットの製造装置。
【請求項７】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いてカートリッジ本体の内部に設けたスプールを回転させることより写真フイルムをカートリッジ本体の外部へ送り出すとともに、スプールの回転停止位置の制御により表示板をカートリッジ本体の側面に設けられた複数の表示窓のいずれかに露呈させて写真フイルムの使用状況を表示するフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造装置において、
前記蓋部材を開いた後、前記スプールを送出方向へ回転させてフイルム先端をカートリッジ本体内から送り出すフイルム頭出し手段と、送り出されたフイルム先端を巻取り軸に係止してから巻取り軸を回転することにより写真フイルムを巻取り軸の周りに巻きつけ、前記フイルムスクロールをつくるフイルムスクロール作成手段とを備え、前記フイルムスクロール作成手段は、前記スプールが写真フイルムの巻取りに従動して回転される間に、前記複数の表示窓のうち１個又は２個以上の表示窓を通過する表示板を検知するセンサと、この出力信号から表示板の通過回数をカウントするカウンタと、このカウント値が第１所定値に達した時に少なくとも巻取り軸の減速を開始し、この後、カウント値が第１所定値より大きな第２所定値に達した時に巻取り軸及びスプールの回転を停止してスプールを所定の角度にする制御手段とからなることを特徴とするレンズ付きフイルムユニットの製造装置。
【請求項８】
コマ位置決め用のパーフォレーションが撮影領域のみに形成された写真フイルムを未使用状態では先端までカートリッジ本体の内部に巻き込んでおき、フイルム通路に設けられた回動自在な遮光用の蓋部材を開いて、カートリッジ本体の内部に設けたスプールを回転させることより写真フイルムをカートリッジ本体の外部へ送り出すようにしたフイルムカートリッジを使用し、写真フイルムをカートリッジ本体から引き出してスクロール形態に巻いたフイルムスクロールをユニット本体に設けたスクロール室に、またカートリッジ本体をカートリッジ収納室に、それぞれ予め収納し、撮影毎に行う巻き上げノブのフイルム巻き上げ方向への回転操作によって、露光済みの写真フイルムを順次にカートリッジ本体の内部に収納してゆくレンズ付きフイルムユニットの製造装置において、
前記蓋部材を開いた後、前記スプールを送出方向へ回転させてフイルム先端をカートリッジ本体内から送り出すフイルム頭出し手段と、送り出されたフイルム先端をスプール状の巻心に係止してから巻心を回転することにより写真フイルムを巻心の周りに巻きつけてフイルムスクロールをつくるフイルムスクロール作成手段と、前記フイルムスクロールを巻心ごとフイルムスクロール室に収納するとともにカートリッジ本体をカートリッジ収納室に収納するフイルム装填手段とを備え、前記フイルムスクロール作成手段は、スプールの回転数をカウントし、スプール回転数のカウント値が第１所定値に達した時に少なくとも巻心の回転速度の減速を開始し、この後、カウント値が第１所定値より大きな第２所定値に達した時にスプール及び巻心の回転を停止してスプールを所定の角度にすることを特徴とするレンズ付きフイルムユニットの製造装置。
【発明の詳細な説明】
【０００１】
【産業上の利用分野】
本発明は、写真フイルムの先端まで収納したフイルムカートリッジを用いたレンズ付きフイルムユニットの製造方法及び製造装置に関するものである。
【０００２】
【従来の技術】
レンズ付きフイルムユニット（以下、フイルムユニットという）は、特公平２−３２６１５号公報で知られるように、簡単な撮影機構を備えたユニット本体に国際標準規格ＩＳＯの１００７−１９７９年で規定されたカートリッジ付きの１３５フイルムを予め内蔵させている。このフイルムユニットではコストダウンを図るためフイルム巻戻し機構を省いている。このため、未露光の写真フイルムをカートリッジ本体から予め引き出してスクロール形態に巻いたフイルムスクロールとカートリッジ本体をユニット本体に設けたフイルムスクロール室とカートリッジ収納室の各々に装填してあり、撮影毎に露光済の写真フイルムをカートリッジ内に巻き込んでいく構造になっている。
【０００３】
フイルムスクロールを作成するには、まずフイルム先端部をクランプで保持して写真フイルムをカートリッジ本体から引き出し、これを所定の距離だけ離れた巻取り軸に係止させる。この後、パーフォレーションをセンサで検知してパーフォレーションの個数をカウントしながら巻取り軸を回転させ、写真フイルムを巻取り軸に巻き取る。このとき、写真フイルムの巻取り量は正確に、しかも短時間に巻き取ることが要求される。このため、予めパーフォレーションの個数により減速時と停止時のタイミングを決めてあり、パーフォレーションの個数が所定の数に達するまでは高速度で巻取り軸を回転させて巻取り時間を節約する。そして、パーフォレーションの個数が所定の数に達したら巻取り軸の回転速度を減速し、更に減速時の個数より多い所定の数に達したら、巻取り軸の回転を停止させるようにしている。
【０００４】
一方、米国特許５２９６８８７号明細書で知られているように、未使用状態では写真フイルムの先端までカートリッジ本体内に巻き込んでおき、使用時にはフイルム通路に設けられた回動自在な遮光用の蓋部材を開いて、カートリッジ本体の内部に設けたスプールを回転させることより写真フイルムをカートリッジ本体の外部へ送り出すようにした写真フイルムカートリッジが提案されている。このような写真フイルムカートリッジ（以下、樹脂カートリッジという）に使用される写真フイルムには、一方の側縁に沿って１コマあたり２個のコマ位置決め用のパーフォレーションが２種類の間隔で交互に配列されており、間隔の長いパーフォレーション間の中心を露光開口のフイルム給送方向の中心に合わせた状態で露光を行うようになっている。そして、これらのコマ位置決め用のパーフォレーションは撮影領域のみに形成されている。
【０００５】
【発明が解決しようとする課題】
上記樹脂カートリッジを用いてフイルムユニットを製造することが考えられる。ところが、上述したように、樹脂カートリッジに用いられる写真フイルムには、コマ位置決め用のパーフォレーションの個数が１コマあたり２個と少ない上、これらは撮影領域のみに形成されている。したがって、フイルムスクロールを作成する際に、スプール側のフイルム最後端よりかなり手前で巻取り軸の回転速度を減速することになり、高速な巻取りと高精度の停止を両立して行うことが困難であった。
【０００６】
本発明は上記問題点を考慮してなされたもので、コマ位置決め用のパーフォレーションが１コマあたり２個の写真フイルムを収納した樹脂カートリッジを用いた場合にも高速かつ高精度にフイルムスクロールをつくることができるフイルムユニットの製造方法及び製造装置を提供することを目的とする。
【０００７】
【課題を解決するための手段】
上記目的を達成するために、請求項１記載の製造方法は、カートリッジ本体の蓋部材を開いた後、スプールを送出方向へ回転させてフイルム先端をカートリッジ本体内から送り出す第１工程と、送り出されたフイルム先端を巻取り軸に係止してから巻取り軸を回転することにより写真フイルムを巻取り軸の周りに巻きつけ、フイルムスクロールをつくる第２工程と、フイルムスクロールを巻取り軸ごとフイルムスクロール室に収納するとともにカートリッジ本体をカートリッジ収納室に収納する第３工程と、ユニット本体の背面に裏蓋を装着した後、フイルムスクロールから巻取り軸を抜き取る第４工程とからなり、第２工程において、スプールの回転数をカウントし、スプール回転数のカウント値が第１所定値に達した時に少なくとも巻取り軸の減速を開始し、この後、カウント値が第１所定値より大きな第２所定値に達した時に巻取り軸及びスプールの回転を停止してスプールを所定の角度にするものである。
【０００８】
また、請求項２記載の製造方法は、請求項１記載のレンズ付きフイルムユニットの製造方法において、前記カートリッジ本体の側面に露呈したスプールの端部には、鍵穴状のキー溝が形成されており、スプールの回転数をカウントするカウント手段は、スプールが写真フイルムの巻取りに従動して１回転する毎に所定角度位置を通過するキー溝を検出し、この検出信号をカウントするものである。
【００１４】
また、請求項３記載の製造方法は、第２工程において、スプールが写真フイルムの巻取りに従動して回転される間に、複数の表示窓のうち１個又は２個以上の表示窓を通過する表示板の通過回数をカウントし、このカウント値が第１所定値に達した時に少なくとも巻取り軸の減速を開始し、この後、カウント値が第１所定値より大きな第２所定値に達した時に巻取り軸及びスプールの回転を停止してスプールを所定の角度にするものである。
【００１５】
また、請求項９記載の製造方法は、第２工程において、コマ位置決め用のパーフォレーションの数をカウントしながら写真フイルムを巻取り軸に巻き取ってゆき、このカウント値が所定値に達した時に少なくとも巻取り軸の減速を開始し、この後、デタッチ・パーフォレーションを検出した後、巻取り軸及びスプールの回転を停止させるものである。
【００１６】
また、請求項４記載の製造方法は、カートリッジ本体の蓋部材を開いた後、スプールを送出方向へ回転させてフイルム先端をカートリッジ本体内から送り出す第１工程と、送り出されたフイルム先端をスプール状の巻心に係止してから巻心を回転することにより写真フイルムを巻心の周りに巻きつけてフイルムスクロールをつくる第２工程と、フイルムスクロールを巻心ごとフイルムスクロール室に収納するとともにカートリッジ本体をカートリッジ収納室に収納する第３工程と、ユニット本体の背面に裏蓋を装着する第４工程とからなり、第２工程において、スプールの回転数をカウントし、スプール回転数のカウント値が第１所定値に達した時に少なくとも巻心の回転速度を減速開始し、この後、カウント値が第１所定値より大きな第２所定値に達した時にスプール及び巻心の回転を停止してスプールを所定の角度にするものである。
【００１７】
また、請求項５記載の製造装置は、カートリッジ本体の蓋部材を開いた後、スプールを送出方向へ回転させてフイルム先端をカートリッジ本体内から送り出すフイルム頭出し手段と、送り出されたフイルム先端を巻取り軸に係止してから巻取り軸を回転することにより写真フイルムを巻取り軸の周りに巻きつけ、フイルムスクロールをつくるフイルムスクロール作成手段とを備え、フイルムスクロール作成手段は、スプールの回転数をカウントするカウント手段と、スプール回転数のカウント値が第１所定値に達した時に少なくとも巻取り軸の減速を開始し、この後、カウント値が第１所定値より大きな第２所定値に達した時に巻取り軸及びスプールの回転を停止してスプールを所定の角度にする制御手段とからなるものである。
【００１８】
また、請求項６記載の製造装置は、請求項５記載のレンズ付きフイルムユニットの製造装置において、前記カートリッジ本体の側面に露呈したスプールの端部には、鍵穴状のキー溝が形成してあり、前記スプールの回転数をカウントするカウント手段は、スプールが写真フイルムの巻取りに従動して１回転する毎に所定角度位置を通過するキー溝を検出するセンサと、この検出信号をカウントするカウンタとからなるものである。
【００２４】
また、請求項７記載の製造装置は、フイルムスクロール作成手段が、スプールが写真フイルムの巻取りに従動して回転される間に、複数の表示窓のうち１個又は２個以上の表示窓を通過する表示板を検知するセンサと、この出力信号から表示板の通過回数をカウントするカウンタと、このカウント値が第１所定値に達した時に少なくとも巻取り軸の減速を開始し、この後、カウント値が第１所定値より大きな第２所定値に達した時に巻取り軸及びスプールの回転を停止してスプールを所定の角度にする制御手段とからなるものである。
【００２６】
また、請求項８記載の製造装置は、カートリッジ本体の蓋部材を開いた後、スプールを送出方向へ回転させてフイルム先端をカートリッジ本体内から送り出すフイルム頭出し手段と、送り出されたフイルム先端をスプール状の巻心に係止してから巻心を回転することにより写真フイルムを巻心の周りに巻きつけてフイルムスクロールをつくるフイルムスクロール作成手段と、フイルムスクロールを巻心ごとフイルムスクロール室に収納するとともにカートリッジ本体をカートリッジ収納室に収納するフイルム装填手段とを備え、フイルムスクロール作成手段は、スプールの回転数をカウントし、スプール回転数のカウント値が第１所定値に達した時に少なくとも巻心の回転速度の減速を開始し、この後、カウント値が第１所定値より大きな第２所定値に達した時にスプール及び巻心の回転を停止してスプールを所定の角度にするものである。
【００２７】
【作用】
第１工程では、蓋部材が開き位置にセットされた後、スプールが送出方向へ回転され、フイルム先端がカートリッジ本体内から送り出される。第２工程では、フイルム先端が巻取り軸に係止されてから、巻取り軸が回転を開始する。スプールの回転数がカウントされ、このカウント値が第１所定値に達すると、巻取り軸の回転速度が減速される。この後、カウント値が第１所定値より大きな第２所定値に達すると、巻取り軸及びスプールの回転が停止してスプールを所定の角度にされ、フイルムスクロールの作成が終了する。第３工程では、フイルムスクロールは巻取り軸ごとユニット本体のフイルムスクロール室に、またカートリッジ本体はカートリッジ収納室に、それぞれ収納される。第４工程では、ユニット本体に裏蓋が装着されてから、フイルムスクロールから巻取り軸が抜き去られる。
【００２８】
【実施例】
図２において、本発明の製造方法で作製されるフイルムユニットに装填される写真フイルムカートリッジ２は、上ケース３及び下ケース４から構成されるカートリッジ本体５の内部に、写真フイルム６を巻き付けたスプール７を回動自在に収納しており、カートリッジ本体５の外周にラベル８が貼着されている。
【００２９】
上・下ケース３，４の正面側の合わせ目には、写真フイルム６を送り出すためのフイルム出入り口１０が形成されている。このフイルム出入り口１０には、カートリッジ本体５内への入光を防止するための蓋部材１１が組み込まれ、またフイルム出入り口１０の奥には、写真フイルム６の先端に形成された分離部６ｂを掬い上げるための分離爪１２が下ケース３と一体に形成されている。蓋部材１１の両端部には、それぞれキー溝１３，１４が形成されており、カメラに装填された際に、カメラ側の開閉用駆動軸が係合される。そして、この開閉用駆動軸の回動によってフイルム送出口１０を光密に遮蔽する閉じ位置と、開放する開き位置との間で移動される。
【００３０】
スプール７には、スプール軸１６の両端内側に、円環状の突起であるリップ１７ａ，１８ａが形成された一対のフイルム規制用のディスク１７，１８が取り付けられる。また、スプール軸１６の一端部にはデータ板１９が一体に形成されており、他端部には回転部材２０が取り付けられる。スプール軸１６には、カメラに装填された際にカメラ側の駆動軸が係合するカギ穴状のキー溝が両端部に設けられた穴２１の奥に形成されており、スプール７は、この駆動軸の回転によって回動される。なお、他の図面においては、本発明の製造方法を分かりやすくするため、実際には穴２１の奥に形成されたキー溝を便宜上スプール軸１６の両端部の表面に露呈した状態で描いてある。
【００３１】
回転部材２０には、２つのラチェット爪２３，ギヤ２４，及び表示板２５とが一体に形成されており、これらはスプール軸１６と一体に回転される。
【００３２】
カートリッジ本体５の内部には、ギヤ２４と噛み合うようにスプールロック２７が収納されている。このスプールロック２７は、蓋部材１１が閉じ位置にある時にはギヤ２４に係合され、スプール軸１６の回転ロックを行い、不用意な写真フイルム６の送り出しが防止される。また、蓋部材１１が開き位置にある時には、ギヤ２４との係合が解除され、スプール軸１６の回転がフリーになる。
【００３３】
一対のディスク１７，１８は、薄いプラスチック材料で成形されており、断面がカップ状となっている。カップ状の底部には、スプール軸１６が回動自在に挿入される丸穴２９，３０がそれぞれ設けられている。また、リップ１７ａ，１８ａは、スプール軸１６に取り付けられた際に互いに向き合うようになり、これらの間に巻回される写真フイルム６の幅方向の両端部の最外周を包み込んで、カートリッジ本体５内での巻き緩みを防止する。これにより、スプール７の回転を写真フイルム６の最外周まで伝達させることができる。
【００３４】
ディスク１８には、丸穴３０を取り囲むように、所定ピッチで４個のスリット３２が形成されている。これらのスリット３２には、スプール軸１６が写真フイルム送り出し方向に回転した際に、回転部材２０のラチェット爪２３が係合される。ラチェット爪２３は、前記スリット３２に係合した際にスプール軸１６の回転をディスク１８に伝達させ、スプール軸１６が写真フイルム巻き取り方向に回転した際には回転部材２０のラチェット爪２３が前記スリット３２を乗り越え、スプール軸１６の回転をディスク１８に伝達させることはない。
【００３５】
このように、スプール７の回転方向によってディスク１８への回転の伝達を切り換えると、フイルム送出し時にスプール７に巻かれた写真フイルム６とディスク１８との回転が一致して摩擦が減少するので、写真フイルム６の送り出しに必要なスプール７の駆動力が少なくて済む。また、フイルム巻き戻し時にディスク１８を独自に回転するようにすると、リップ１８ａに邪魔されずに写真フイルム６をリップ１８ａ内に巻き込むことができる。
【００３６】
上下ケース３，４の内壁側面には、ディスク１７，１８に当接して、ディスク１７，１８の変形を規制するディスク規制手段であるリブ３４が一体に形成されている。このリブ３４は、上ケース３及び下ケース４のそれぞれの両内壁側面に３個ずつ形成されており、ディスク１７，１８の外側を分散して規制するようになっている。なお、写真フイルム６は、カートリッジ本体５から送出あるいは巻き戻されるときに、ディスク１７，１８を変形させ、ディスク１７とディスク１８との間を押し広げるようにするので、リブ３４はフイルム出入り口１０の近傍には設けられていない。
【００３７】
データ板１９の外面には、カートリッジ本体５内に収納されている写真フイルム６の各種データを示すバーコードが放射状に印刷されたデータラベル３６が貼着される。このデータラベル３６は、上ケース３の側面に形成されたデータ窓３７を通してカートリッジ本体５の外部に露呈され、バーコードはカメラ等の装置によって読み取られる。
【００３８】
また、スプール７はカメラ等の機器によってその回転位置が検出されており、写真フイルム６をカートリッジ本体５内に巻き戻したときには、写真フイルムカートリッジ２の使用状況に応じた任意の位置に停止されるようになっている。これにより、回転部材２０の表示板２５が、上下ケース３，４の一側面に形成された複数個の使用状況表示窓３９のいずれかから見えるようになり、この表示板２５がどの窓から見えるかによって未使用，使用済み，部分使用済み，現像済み等が判別できる。
【００３９】
写真フイルム６のフイルム先端部６ａには、幅方向の端部のうち、ディスク１７に抑えられる側に切欠４１が形成されている。この切欠４１は、写真フイルム６が全てカートリッジ本体５内に巻き込まれたときにディスク１７に引っ掛かり、切欠４１よりも先端側の部分に分離部６ｂがディスク１７内に巻き込まれるのを防止するためのものである。これにより、写真フイルム６の分離部６ｂはディスク１７の外周に若干浮き上がるようになり、分離部６ｂと分離爪１２とが接触しやすくなり、写真フイルム６の送り出しがより確実なものとなる。
【００４０】
図３に示すように、撮影領域６ｃには、切欠４１側に１コマの撮影画面４５あたり２個ずつのコマ位置決め用のパーフォレーション４６が形成されている。また、先端部６ａ側の撮影画面４５ａ（フイルムユニットでは最終コマ）の隣にパーフォレーション４６ａが１個形成され、フイルム先端部６ａ側から短い間隔で並んだパーフォレーション４６が必ず対となるようにされる。これにより、写真フイルム６を使用するカメラでは、一対のパーフォレーション４６を検出することによりコマの位置決めを行うことができる。また、フイルム後端部６ｄ側の撮影画面４５ｂ（フイルムユニットでは最初のコマ）の隣には、パーフォレーション４６は形成されておらず、これにより撮影画面４５ｂがフイルム後端部２６ｄ側のコマであることをカメラ側が検知してフイルム給送の停止や巻戻し等の動作を行うことができるが、フイルムユニット用フイルムには４５ｂの６ｄ側の隣には、パーフォレーション４６ｂが形成されている。
【００４１】
フイルム後端部２６ｄには、撮影画面４５ｂ近傍で切欠４１側と反対側の縁にはターンアラウンド・パーフォレーション４７が形成されている。例えばフイルム先端部側から順に撮影するタイプのカメラがこのターンアラウンド・パーフォレーション４７を検知することにより撮影領域６ｃが終わったことを知り、写真フイルムの自動巻戻しを行うことができる。また、フイルム後端部２６ｄのスプール７近くにはデタッチ・パーフォレーション４８が形成されている。このデタッチ・パーフォレーション４８は、写真フイルム６の終端検知用のパーフォレーションである。
【００４２】
図４において、本発明の製造方法で作成されるフイルムユニット５０は、樹脂製のユニット本体５１及びこれを収納する外箱５２とからなる。ユニット本体５１には、撮影レンズ５４，シャッタボタン５５，巻き上げノブ５６，ファインダー窓５７，残りフイルム枚数を表示する表示窓５８が設けられている。なお、このフイルムユニット５０では外箱５２にユニット本体５１を収納した状態で撮影を行うため、外箱５２には撮影レンズ５４等を露呈させるための穴が開設されている。
【００４３】
図５において、ユニット本体５１は本体部６０及びこれに前後から装着される前カバー６１と裏蓋６２とからなる。本体部６０には、露光枠６３を挟むようにフイルムスクロール室６４及びカートリッジ収納室６５が設けられている。カートリッジ収納室６５には、スプール７に嵌合する鍵状のキー軸６６が突出しており、このキー軸６６は巻き上げノブ５６に一体形成されている。なお、フイルムスクロール室６４の底板６７は、フイルムスクロールの巻取り軸の径に対応したＵ字形の開口６７ａが形成されており、フイルムスクロールをフイルムスクロール室６４に挿入してから、フイルムスクロールの巻取り軸をフイルムスクロールから引き抜く際に、フイルムスクロールの端面と当接してフイルムスクロールをフイルムスクロール室６４内に残留させる。
【００４４】
また、露光枠６３の上側には、スリット６８を介してスプロケット６９が設けられている。このスプロケット６９は、短い間隔で並んだ一対のパーフォレーション４６が移動してきたときにこれらに順次に噛合する一対の歯６９ａが二対、円周面上の１８０°隔てた位置にそれぞれ突設され、１コマ分のフイルム移送に従動して半回転される。この間に、図示しないシャッタチャージ機構が作動してシャッタチャージが行われる。なお、本体部６０の底面には係止突起７０，７１が設けられており、この係止突起７０，７１は写真フイルムカートリッジ２の装填後、本体部６０と裏蓋６２との係止に用いられる。
【００４５】
裏蓋６２の内面には、露光枠６３の湾曲に合うように、同様に湾曲されたフイルム規制面７４が形成されている。また、裏蓋６２の底面には、前記係止突起７０，７１が嵌入される係止用の開口７５，７６や、開閉自在なフイルムスクロール室蓋７７，カートリッジ収納室蓋７８及び巻取り軸９６（図１参照）が遊挿される円形開口１６０（図１７参照）を残して開口６７ａに挿入される突起部７９がそれぞれ設けられている。フイルムスクロール室蓋７７，カートリッジ収納室蓋７８は図示しない係止爪を介して本体部６０に係止され、フイルムスクロール室６４，カートリッジ収納室６５の遮光を行う。なお、フイルムスクロール室蓋７７，カートリッジ収納室蓋７８を開放することで、本体部６０に裏蓋６２を係止した後も、フイルムスクロール室６４，カートリッジ収納室６５の底面開口を簡単に露出することができる。
【００４６】
図６において、フイルム装填工程は、搬送ベルト８０の送り位置に対応して、本体供給ステーション８１，フイルム装填ステーション８２，裏蓋装着ステーション８３，製品取出しステーション８４がそれぞれ設けられている。フイルム装填ステーション８２及び裏蓋装着ステーション８３は暗室８５内に設置されている。
【００４７】
本体供給ステーション８１では、他の製造ラインで撮影機構を組み付けてから前カバー６１を装着した本体部６０（以下、これを本体７２（図１参照）という）がベースプレート８７にセットされて搬送ベルト８０に供給される。このベースプレート８７には、これに本体７２を位置決め保持するフレーム８８，８９（図１参照）が設けられている。
【００４８】
フイルム装填ステーション８２には、写真フイルムカートリッジ２から写真フイルム６を所定の長さだけ引き出すフイルム頭出し装置９０（図７参照）と、この下方に設置され、カートリッジ本体５から引き出しながら写真フイルム６をスクロール状に巻いてフイルムスクロール５ｅをつくり、このフイルムスクロール５ｅ，カートリッジ本体５を本体部６０のフイルムスクロール室６４，カートリッジ収納室６５に装填するフイルム装填装置９１（図１参照）とが設けられている。
【００４９】
前記フイルム頭出し装置９０は、図７に示すように、カートリッジ本体５を保持するロボットアーム９３と、この上方から降下して蓋部材１１のキー溝１３に係合してこれを回動させる蓋回動部材９４と、同様にスプール７のキー溝２１ａ係合してこれを回動させるスプール回動部材９５と、カートリッジ本体５のフイルム出入り口１０から送り出されたフイルム先端部６ａを両側から保持して写真フイルム６をフイルム装填装置９１の巻取り軸９６まで引き出すクランプ部材９７ａ，９７ｂと、これと一緒にフイルム引出し方向に移動され、フイルム先端部６ａを検出する透過型ホトセンサ９８の投光部９８ａ，受光部９８ｂを内蔵したフイルム先端検出部９９ａ，９９ｂとを備えている。なお、巻取り軸９６には、フイルム先端部６ａが挿入されると、これを係止するスリット９６ａが形成されている。また、巻取り軸９６の先端部はスリット９６ａの幅が広く切り欠かれ、フイルム先端部６ａのスリット９６ａへの受入れが容易になっている。
【００５０】
前記フイルム装填装置９１は、前記巻取り軸９６の他に、図１に示すように、カートリッジ本体５を吸引して吸着保持するカートリッジ保持部１０１を備え、巻取り軸９６とカートリッジ保持部１０１とがフイルムスクロール室６４とカートリッジ収納室６５の間隔に対応した距離だけ隔てて基板１０２に取り付けられている。カートリッジ保持部１０１の中心部には、スプール７のキー溝２１ａに係合される送り出し軸１０５（図７参照）が突出されており、これが支持台１０６及び基板１０２を挿通し、クラッチ・ブレーキ部１０７を介してモータ１０８に連結されている。また、巻取り軸９６は、支持台１１０ａ，１１０ｂ及び基板１０２を挿通してモータ１１１に連結されている。
【００５１】
写真フイルム６の巻取り開始時は、モータ１０８，１１１の両方を駆動するが、巻取り軸９６の周りに写真フイルム６が巻きつき始めた後は、クラッチ・ブレーキ部１０７のクラッチを切ってモータ１０８の駆動を停止し、モータ１１１のみによって写真フイルム６の巻取りを継続する。
【００５２】
基板１０２の上方のスプール７に相対する位置には、センサ１１５が設けられている。このセンサ１１５は、スプール７が写真フイルム６の巻取りに従動して１回転する毎に所定角度位置を通過するキー溝２１ａを検知してこの出力信号をカウンタ１１６に送出する。カウンタ１１６は、この出力信号からスプール７の回転数をカウントし、この回転数を制御部１１７に出力する。スプール１回転あたりのフイルム巻取り量は、フイルム巻取りが進むにつれて徐々に減少するが、この減少度合は写真フイルム６の全長によって決まる。写真フイルム６の全長は、写真フイルムカートリッジ２の種類（撮影可能枚数）によって決まっているから、このデータを制御部１１７に接続されたキーボード１１８によって予め入力しておく。これにより、制御部１１７は、カウンタ１１６から入力されたスプール回転数で写真フイルム６の巻取り量を算出することができる。
【００５３】
制御部１１７は、カウンタ１１６からのスプール回転数に基づいて算出した写真フイルム６の巻取り量が巻取り速度を減速すべき所定の値に達すると、モータドライバ１２２に指令信号を出力してモータ１１１の回転速度を減速する。そして、更にフイルム巻取りを止めるべき所定の値に達すると、制御部１１７はモータドライバ１２２に停止信号を出力するとともに、クラッチ・ブレーキ部１０７を制御して送り出し軸１０５の回転にブレーキを掛ける。これにより、所定のフイルムスクロール６ｅが迅速かつ正確に形成される。
【００５４】
フイルム装填装置９１は、基板１０２ごと約９０°旋回可能になっており、写真フイルムカートリッジ２のスプール７がベースプレート８７の面と平行になるように基板１０２の姿勢を変更してから、フイルムスクロール６ｅ，カートリッジ本体５を本体部６０のフイルムスクロール室６４，カートリッジ収納室６５に装填する。この後、フイルム装填装置９１は、ベースプレート８７の面と平行かつスプール７の軸方向に退避される。これにより、フイルムスクロール６ｅから巻取り軸９６が、またスプール７の穴２１から送り出し軸１０５がそれぞれ引き抜かれる。
【００５５】
裏蓋装着ステーション８３では、図示しない裏蓋装着アームが作動し、他のラインから供給された裏蓋６２を本体７２に被せて押圧すると、係止突起７０，７１が開口７５，７６に嵌合して、裏蓋６２は本体７２に係止される。更に、フイルムスクロール室蓋７７，カートリッジ収納室蓋７８がフイルムスクロール室６４，カートリッジ収納室６５側に回動，押圧され、フイルムスクロール室蓋７７，カートリッジ収納室蓋７８が遮光される。この後、搬送ベルト８０が駆動され、ベースプレート８７は暗室８５から明室の製品取出しステーション８４に移動される。
【００５６】
製品取出しステーション８４では、図示しない製品取出しアーム及びベースプレート取外しアームが設置されている。ユニット本体５１がベースプレート８７ごと搬送されてくると、まず製品取出しアームが作動し、ベースプレート８７からユニット本体５１を取り出す。この後ベースプレート取外しアームが作動し、搬送ベルト８０からベースプレート８７を取り外す。これらユニット本体５１，ベースプレート８７はそれぞれ別々の搬送ベルトに載置されて、ユニット本体５１は外箱５２を被せる工程に搬送され、ベースプレート８７は本体供給ステーション８１に戻される。
【００５７】
このように構成されたフイルム頭出し装置９０とフイルム装填装置９１の作用を説明する。まず、キーボード１１８から写真フイルムカートリッジ２の種類を制御部１１７に入力する。本体７２がベースプレート８７にセットされ、本体供給ステーション８１にて搬送ベルト８０に供給される。この後、搬送ベルト８０が駆動され、ベースプレート８７は暗室８５内のフイルム装填ステーション８２に搬送される。
【００５８】
フイルム装填ステーション８２には、予め他のラインから写真フイルムカートリッジ２が供給され、フイルム頭出し装置９０のロボットアーム９３によりカートリッジ保持部１０１の上方に保持されている。蓋回動部材９４及びスプール回動部材９５が写真フイルムカートリッジ２に向かって降下され、各先端部がキー溝１３，２１ａに挿入される。続いて、蓋回動部材９４が回転駆動されて蓋部材１１が開き位置に回動されてから、スプール回動部材９５が回転駆動され、スプール７がフイルム送出方向に回転される。
【００５９】
図８に示すように、スプール７が回転されると、フイルム先端部６ａはカートリッジ本体５のフイルム出入り口１０から送り出される（Ａ）。フイルム先端部６ａの両側には、フイルム面に近接してクランプ部材９７ａ，９７ｂ及びフイルム先端検出部９９ａ，９９ｂが配置されている。フイルム先端部６ａがクランプ部材９７ａ，９７ｂの隙間を通過してフイルム先端検出部９９ａ，９９ｂの間に達すると、透過型ホトセンサ９８によりフイルム先端部６ａが検出され、スプール回動部材９５の回転が一旦停止される。この後、クランプ部材９７ａ，９７が閉じてフイルム先端部６ａをクランプするとともに、フイルム先端検出部９９ａ，９９ｂは開いてフイルム先端部６ａから離れた退避位置に移動される（Ｂ）。
【００６０】
続いて、クランプ部材９７ａ，９７及びフイルム先端検出部９９ａ，９９ｂが一緒に巻取り軸９６側へ移動される。フイルム先端部６ａが巻取り軸９６の上方に達すると、クランプ部材９７ａ，９７及びフイルム先端検出部９９ａ，９９ｂの移動が停止される（Ｃ）。この後、図７に示すように、ロボットアーム９３，クランプ部材９７ａ，９７及びフイルム先端検出部９９ａ，９９ｂが降下し、スプール７のキー溝２１ａに送り出し軸１０５が係合されるとともにカートリッジ本体５がカートリッジ保持部１０１に吸着保持され、またフイルム先端部６ａが巻取り軸９６のスリット９６ａに挿入されて係止される。なお、このとき、フイルム先端検出部９９ａ，９９ｂは巻取り軸９６の径以上に開いており、巻取り軸９６に接触することはない。
【００６１】
この後、ロボットアーム９３，クランプ部材９７ａ，９７及びフイルム先端検出部９９ａ，９９ｂはフイルム装填装置９１の上方へ退避され、次の写真フイルムカートリッジ２のフイルム送り出しに備える。続いて、制御部１１７がモータ１０８，１１１を駆動し、巻取り軸９６による写真フイルム６の巻取りが開始される。最初は、モータ１０８，１１１の両方を駆動するが、巻取り軸９６の周りに写真フイルム６が巻きつき始めた後は、クラッチ・ブレーキ部１０７のクラッチを切り、モータ１０８の駆動を停止してモータ１１１のみによるフイルム巻取りに切り換える。
【００６２】
写真フイルム６が巻き取られるにつれてスプール７が回転する。このスプール回転により所定角度位置を通過するキー溝２１ａがセンサ１１５により検知され、このカウンタ値（スプール回転数に対応）がカウンタ１１６から制御部１１７に入力される。制御部１１７は、このカウンタ値がキーボード１１８から予め入力されている写真フイルムカートリッジ２の種類によって決まる第１所定値に達した時、モータ１１１を減速させる。更に、カウンタ値が第１所定値より大きな第２所定値に達して、カートリッジ本体５から全コマ数分の写真フイルム６が引き出されると、制御部１１７はモータ１１１を停止させると同時にクラッチ・ブレーキ部１０７を作動させて送り出し軸１０５を急停止させる。これにより、巻取り軸９６には、所定長の写真フイルム６がスクロール状に巻き取られ、フイルムスクロール６ｅが形成される。なお、送り出し軸１０５は、キー溝２１ａの回転角度がキー軸６６に対応した角度位置になるように停止される。
【００６３】
フイルム装填装置９１が基板１０２ごと約９０°回転するとともに、スプール７の軸方向がベースプレート８７の面と平行，かつフイルムスクロール６ｅの位置がカートリッジ本体５の位置に対して約３０°上方になるようにしてから、カートリッジ本体５がカートリッジ収納室６５に挿入され、スプール７の端部がキー軸６６に係合される。続いて、基板１０２がスプール７を中心にして反時計方向に約３０°回動され、フイルムスクロール６ｅがフイルムスクロール室６４に挿入される。そして、この状態のまま本体７２はフイルム装填装置９１と一緒に裏蓋装着ステーション８３に搬送される。
【００６４】
ベースプレート８７が裏蓋装着ステーション８３に到着すると、本体７２に裏蓋６２が被せられ、係止突起７０，７１と開口７５，７６との嵌合により裏蓋６２が本体７２に係止される。この後、カートリッジ保持部１０１によるカートリッジ本体５の吸着が解除されるとともに、フイルム装填装置９１はスプール７の軸方向と平行に退避位置に向かって移動する。このとき、フイルムスクロール６ｅの端面は底板６７の内壁に当接しているから、フイルム装填装置９１の移動により巻取り軸９６がフイルムスクロール６ｅから引き抜かれる。これにより、フイルムスクロール６ｅはフイルムスクロール室６４内に残留する。この後、フイルムスクロール室蓋７７，カートリッジ収納室蓋７８が閉じられ、フイルム装填が完了する。
【００６５】
搬送ベルト８０が駆動され、ベースプレート８７は暗室８５から明室の製品取出しステーション８４の位置に移動される。フイルム装填が完了したユニット本体５１は、ベースプレート８７から他の搬送ベルトへ移されて次の外箱５２を被せる工程へ搬送される。
【００６６】
以上説明した実施例では、フイルムスクロールの作成に際し、写真フイルムの引出し量を計測する方法として、センサによってスプールの回転数を読み取り、この読み取り信号をカウントするようにしたが、図９に示す実施例では、フイルム走行路にニップローラ１３１，１３２を設置してニップローラ１３１の回転をロータリーエンコーダ１３３でパルスに変換し、このパルス数をカウンタ１３４でカウントする。キーボード１１８から写真フイルムカートリッジ２の種類を制御部１１７に入力しておくと、ロータリーエンコーダ１３３からのパルス数に基づいてモータ１１１の減速，停止及びクラッチ・ブレーキ部１０７の作動等が制御される。
【００６７】
図１０に示す実施例では、フイルム走行路にセンサ１４０を設置するとともに、トルク検出器１４１を巻取り軸９６に取り付けてある。センサ１４０により写真フイルム６のデタッチ・パーフォレーション４８が検出されると、制御部１１７はモータ１１１を減速する。また、巻取り軸９６による巻取りが進み、巻取り軸９６の周りに巻き付けられたフイルムスクロール６ｅの巻き径が太くなるにつれて、写真フイルム６を巻き取るために要する巻取りトルクが増加する。この巻取りトルクが所定以上になった時、制御部１１７はモータ１１１を停止させると同時にクラッチ・ブレーキ部１０７を作動させて送り出し軸１０５にブレーキを掛ける。
【００６８】
なお、巻取り軸９６の巻取りトルクを測定する代わりに、デタッチ・パーフォレーション４８の検出後、制御部１１７内のタイマーを作動させ、所定時間経過後にモータ１１１の停止とクラッチ・ブレーキ部１０７の作動を行ってもよい。また、このフイルム巻取り停止時の判定は、前記実施例と同様なニップローラをフイルム走行路に設け、デタッチ・パーフォレーション４８の検出後に移送されたフイルム長を測定することにより行ってもよい。また、これらの方法から２つ以上を組み合わせ、論理和（どれか１つが所定の値に達したら停止指令）又は論理積（組み合わされた全てが各所定値に達したら停止指令）により、停止時を判定してもよい。
【００６９】
図１１に示す実施例では、フイルム走行路にターンアラウンド・パーフォレーション４７を検出するためのセンサ１４５を設置し、またトルク検出器１４１を巻取り軸９６に取り付けてある。センサ１４５の位置にターンアラウンド・パーフォレーション４７が到達すると、この検出信号が制御部１１７に入力される。制御部１１７は、この検出信号を受け取ると、モータ１１１を減速する。続いてトルク検出器１４１からの出力信号が巻取り軸９６の巻取りトルクが所定以上になったことを示した時、モータ１１１を停止させると同時にクラッチ・ブレーキ部１０７を作動させて送り出し軸１０５にブレーキを掛け、写真フイルム６の巻取り動作を停止する。なお、フイルム巻取り停止時の判定に、ターンアラウンド・パーフォレーション４７の検出後の所定時間経過時，ターンアラウンド・パーフォレーション４７の検出後の移送フイルム長が所定値に達した時，デタッチ・パーフォレーション４８を検出した時、及びこれらの方法から２つ以上を組み合わせた論理和又は論理積を用いることができる。
【００７０】
図１２に示す実施例では、トルク検出器１４１を巻取り軸９６に取り付けてあり、これによって検出された巻取り軸９６の巻取りトルクが所定値に達した時にモータ１１１の減速を開始する。そして、予め決められた減速レートに従って徐々にモータ１１１を減速させた後、モータ１１１を停止させる。このモータ１１１の停止と同時にクラッチ・ブレーキ部１０７を作動させ、送り出し軸１０５にブレーキを掛けてこれを停止させる。
【００７１】
図１３に示す実施例では、フイルム走行路にコマ位置決め用のパーフォレーション４６を検出する透過型のホトセンサ１４６を設けてある。このホトセンサ１４６は、間隔の短い一対のパーフォレーション４６をフイルム先端側から順次に検出し、制御部１１７はホトセンサ１４６からの信号に基づいてパーフォレーション４６の数をカウントすることにより最終コマを判断してモータ１１１を減速する。
【００７２】
続いてトルク検出器１４１からの出力信号が巻取り軸９６の巻取りトルクが所定以上になったことを示した時、制御部１１７はモータ１１１を停止させると同時にクラッチ・ブレーキ部１０７を作動させて送り出し軸１０５にブレーキを掛け、写真フイルム６の巻取り動作を停止する。なお、フイルム巻取り停止時の判定において、最後のコマを検出した後に所定時間が経過した時，最後のコマの検出後に移送された写真フイルム６の長さが所定長さに達した時，デタッチ・パーフォレーション４８を検出した時、及びこれらの方法から２つ以上を組み合わせた論理和又は論理積を用いることができる。
【００７３】
図１４に示す実施例では、カートリッジ本体５の側面に形成された４個の使用状況表示窓３９のうち例えば２個の使用状況表示窓３９ａ，３９ｂに相対する各位置に反射型のセンサ１４８，１４９を配置してある。使用状況表示窓３９ａ，３９ｂの背後に配置された回転部材２０の表示板２５（図２参照）は、スプール７のフイルム引出し方向への回転により回転され、使用状況表示窓３９ａ，３９ｂの背後を通過する。センサ１４８，１４９は、使用状況表示窓３９ａ，３９ｂの背後を通過する表示板２５を検知して、このパルス信号をそれぞれカウンタ１５１，１５２に出力する。
【００７４】
カウンタ１５１，１５２は、各パルス信号をカウントして、それぞれの累積値を順次に制御部１１７に出力する。制御部１１７は、各累積値が第１の所定値に到達した時、モータ１０８，１１１を減速する。更に、各累積値が第１の所定値より大きな第２の所定値に達した時、モータ１０８，１１１を停止させる。なお、第１及び第２の所定値は、キーボード１１８により予め制御部１１７に入力しておく。このように、センサは２個以上設けた方が減速，停止の各タイミングを確実に判定することができるが、センサが１個でも可能である。
【００７５】
図１５に示す実施例では、フイルム走行路にパーフォレーション４６検出用のセンサユニット１４６と、デタッチ・パーフォレーション４８検出用のセンサ１４０とを設けてある。センサユニット１４６は、一対のパーフォレーション４６をフイルム先端側から順次に検出して、この検出信号を制御部１１７に入力する。制御部１１７は、この累積値が所定の値に達した時又は該累積値が所定値に達した後、所定時間経過した時にモータ１１１を減速する。そして、センサ１４０がデタッチ・パーフォレーション４８を検出した直後に、制御部１１７はモータ１１１を停止させると同時にクラッチ・ブレーキ部１０７を作動させて送り出し軸１０５にブレーキを掛ける。
【００７６】
なお、フイルム巻取り停止時の判定は、センサ１４０がデタッチ・パーフォレーション４８を検出してから所定時間が経過した時，ターンアラウンド・パーフォレーション４７検出直後，ターンアラウンド・パーフォレーション４７検出後の所定時間経過後，デタッチ・パーフォレーション４８の検出後からキー溝２１ａ（図１参照）の角度を角度検出器で測定してこの角度が所定値になった時，デタッチ・パーフォレーション４８の検出後からトルク検出器１４１からの出力値が所定値以上になった時，４個の使用状況表示窓３９のうち１個又は２個以上の背後を通過する表示板２５を検知してスプール位置を特定した時を用いることができる。
【００７７】
以上説明した実施例では、巻取り軸を用いてフイルムスクロールを作成し、フイルムスクロール室内にフイルムスクロールを装填した後は巻取り軸を抜き取るようにしたが、図１６に示すように、フイルムスクロール用の巻心１５５を用いてもよい。この巻心１５５は、両端部にフイルムスクロール６ａの端面に当接してこれを平面状に整えるフランジ１５５ａ，１５５ｂが一体に形成され、少なくとも一方のフランジ１５５ｂの中央部にキー溝１５５ｃが形成されている。そして、このキー溝１５５ｃに巻取り駆動軸１５６の先端中央部に設けられたキー軸１５６ａが係合される。
【００７８】
巻心１５５には、軸方向にスリット１５５ｄが形成されており、クランプ部材９７ａ，９７ｂによりカートリッジ本体５から一定量引き出された写真フイルム６のフイルム先端部６ａがスリット１５５ａに挿入される。この後、巻取り駆動軸１５６ごと巻心１５５及びロボットアーム９３が降下してスプール７が送り出し軸１０５に係合される。写真フイルム６の巻取りが終了して巻心１５５の周りにフイルムスクロール６ｅが作成された後、フイルムスクロール６ｅは巻心１５５ごとフイルムスクロール室６４に挿入される。この後、巻心１５５は巻取り駆動軸１５６から離脱され、フイルムスクロール６ｅは巻心１５５に巻き付けられたままフイルムスクロール室６４に残留される。
【００７９】
また、これまで説明した実施例では、カートリッジ本体からのフイルム先端部送り出しから、フイルムスクロールの作成，本体へのフイルム装填までの各工程は暗室内で行ったが、これらの工程を半暗室内又は明室内で行うようにしてもよい。なお、半暗室とは、短時間（１〜３秒）では写真フイルムが光被りを起こさない程度に明るい暗室である。
【００８０】
半暗室内では、フイルム先端部を巻取り軸のスリットに挿入した後（図８（Ｃ）参照）、フイルムスクロールの作成前に本体へのフイルム装填を行う。そして、裏蓋を本体に装着した後、巻取り軸を回転させて写真フイルムの巻取りを行う。フイルムスクロールの作成終了後、フイルムスクロールから巻取り軸を引き抜き、フイルムスクロール室蓋及びカートリッジ収納室蓋を閉じる。この写真フイルムの巻取り開始からフイルムスクロール室蓋及びカートリッジ収納室蓋を閉じるまでの間の時間は１〜３秒とする。なお、フイルムスクロールの作成に際しては、フイルム走行路にパーフォレーション検出用のセンサを設けることができないから、巻取り軸やスプールの回転数から巻取り量を演算する等の手段により巻取り軸の回転速度の減速及び巻取り軸の停止を制御する。
【００８１】
明室内では、フイルム装填工程そのものは半暗室内と同様であるが、図１７に示すように、例えば遮光性ゴムで形成された鍔１５８が巻取り軸９６に回転自在に取り付られている。この鍔１５８は、巻取り軸９６に回転自在に取り付られたバネ１５９によって巻取り軸９６の先端側に付勢されている。このバネ１５９の付勢に抗して鍔１５８を巻取り軸９６の反先端側にずらした状態で、フイルム先端部６ａを係止した巻取り軸９６をフイルムスクロール室６４に上方から挿入する。
【００８２】
裏蓋６２を本体７２に装着してから鍔１５８に加えていた巻取り軸９６の反先端側への力を解除すると、鍔１５８がバネ１５９によってフイルムスクロール室６４側に押しつけられ、底板６７の開口６７ａに突起部７９が挿入されて形成された円形開口１６０と巻取り軸９６との隙間１６１が遮光される。この状態で巻取り軸９６を回転させてフイルムスクロール６ａの作成を行う。なお、半暗室内と同様に、フイルム巻取りの減速及び停止の各制御は、巻取り軸やスプールの回転数から巻取り量を演算する等の手段により行う。
【００８３】
以上説明した半暗室，明室でのフイルム装填工程は、巻心なしの場合であったが、図１６に示すような巻心１５５を用いてフイルムスクロールの作成を行ってもよい。この場合には、図１８において、フイルム先端部６ａが巻心１５５のスリット１５５ｄに係止された状態でフイルムスクロール室６４内に挿入して裏蓋１６３を装着し、一旦巻取り駆動軸１５６のキー軸１５６ａを巻心１５５のキー溝１５５ｃから抜き去ってからフイルムスクロール室蓋１６４を閉じる。
【００８４】
このフイルムスクロール室蓋１６４には、巻心１５５のキー溝１５５ｃを臨む位置に円形開口１６０より小さくキー軸１５６ａが遊挿される小開口１６５が設けてあり、この小開口１６５及び円形開口１６０を介してキー軸１５６ａを再び巻心１５５のキー溝１５５ｃに挿入する。この後は、巻取り駆動軸１５６を回転駆動して写真フイルム６の巻取りを行う。なお、フイルムスクロール６ｅが作成された後、キー軸１５６ａをキー溝１５５ｃから抜き去ってから、小開口１６５に所定の蓋を嵌め込んでこれを遮蔽する。
【００８５】
この実施例の場合には、フイルムスクロール室蓋１６４が閉じられており、開口１６５が円形開口１６０より小さく、しかもフイルムスクロール６ｅはフランジ付きの巻心１５５に巻き付けられるので、フイルムスクロール作成中に写真フイルム６が露光されるおそれはない。
【００８６】
なお、スプールの回転数をカウントする手段としては、スプールの端部に形成されたキー溝の回転角度位置を検出するセンサを用いるようにしたが、例えばスプールに連結されるスプール駆動軸にロータリーエンコーダ等を設け、これによりスプールの回転数をカウントするようにしてもよい。
【００８７】
【発明の効果】
以上詳細に説明したように、本発明のフイルムユニットの製造方法及び製造装置によれば、蓋部材を開き位置にしてからスプールを送出方向へ回動してフイルムの先端をカートリッジ本体内から送り出す。そして、フイルム先端を巻取り軸に係止して巻取り軸を回転し、カートリッジ本体からフイルムを巻き取ってフイルムスクロールを作成する。このフイルムスクロール作成では、スプールの回転数をカウントし、このカウント値が第１所定値に達した時に少なくとも巻取り軸の回転速度を減速する。この後、カウント値が第１所定値より大きな第２所定値に達した時に巻取り軸及びスプールの回転を停止する。したがって、コマ位置決め用のパーフォレーションが１コマあたり２個の写真フイルムを収納した樹脂カートリッジを用いた場合にも、確実に減速，停止が行えるから、高速かつ高精度にフイルムスクロールをつくることができる。
【００８８】
フイルムスクロール作成におけるフイルム巻取り速度の減速開始のタイミングとしては、複数の表示窓のうち１個又は２個以上の表示窓を通過する表示板の通過回数をカウントしてこのカウント値が所定値に達した時とすることができる。
【００８９】
また、フイルムスクロール作成におけるフイルム巻取りの停止タイミングとしては、複数の表示窓のうち１個又は２個以上の表示窓に表示板を検出してスプール位置を特定した時とすることができる。
【図面の簡単な説明】
【図１】フイルム装填装置でフイルムスクロールの作成及びフイルム装填を行っている状況を示す説明図と制御回路のブロック図である。
【図２】写真フイルムカートリッジの分解斜視図である。
【図３】図２に示した写真フイルムカートリッジから写真フイルムを引き出した状態を示す概略平面図である。
【図４】フイルムユニットの外観を示す斜視図である。
【図５】ユニット本体から裏蓋を外した状態を示す斜視図である。
【図６】フイルム装填と裏蓋装着が暗室内で行われることを示す説明図である。
【図７】フイルム頭出し装置の構成を示す概略説明図である。
【図８】フイルム頭出し装置の動作を示す説明図である。
【図９】フイルム移送量の測定によりフイルム巻取りの減速開始時，停止時を制御してフイルムスクロール作成を行う実施例の説明図である。
【図１０】デタッチ・パーフォレーションの検出時をフイルム巻取りの減速開始時としてフイルムスクロール作成を行う実施例の説明図である。
【図１１】ターンアラウンド・パーフォレーションの検出時をフイルム巻取りの減速開始時としてフイルムスクロール作成を行う実施例の説明図である。
【図１２】巻取りトルクの検出によりフイルム巻取りの減速開始時，停止時を制御してフイルムスクロール作成を行う実施例の説明図である。
【図１３】最終コマのパーフォレーションの検出時をフイルム巻取りの減速開始時としてフイルムスクロール作成を行う実施例の説明図である。
【図１４】使用状況表示窓を通過する表示板の検出によりフイルム巻取りの減速開始時，停止時を制御してフイルムスクロール作成を行う実施例の説明図である。
【図１５】コマ位置決め用のパーフォレーションのカウント値が所定値に達した時をフイルム巻取りの減速開始時とし、デタッチ・パーフォレーションの検出時をフイルム巻取りの停止時としてフイルムスクロール作成を行う実施例の説明図である。
【図１６】別のフイルム頭出し装置の構成を示す概略説明図である。
【図１７】半暗室内，明室内でフイルムスクロールを作成する実施例の説明図である。
【図１８】半暗室内，明室内で巻心を用いてフイルムスクロールを作成する実施例の説明図である。
【符号の説明】
２  写真フイルムカートリッジ
５  カートリッジ本体
７  スプール
６  フイルム
６ａ  フイルム先端部
６ｃ  撮影領域
６ｄ  フイルム後端部
６ｅ  フイルムスクロール
１１  蓋部材
２１ａ  キー溝
３９ａ，３９ｂ  使用状況表示窓
４５  撮影画面
４６  コマ位置決め用のパーフォレーション
４７  ターンアラウンド・パーフォレーション
４８  デタッチ・パーフォレーション
５０  フイルムユニット
５１  ユニット本体
６０  本体部
６２  裏蓋
６４  フイルムスクロール室
６５  カートリッジ収納室
７２  本体
８２  フイルム装填ステーション
８３  裏蓋装着ステーション
９０  フイルム頭出し装置
９１  フイルム装填装置
９６  巻取り軸
９７ａ，９７ｂ  クランプ部材
９８  ホトセンサ
９９ａ，９９ｂ  フイルム先端検出部
１０１  カートリッジ保持部
１０５  送り出し軸
１０７  クラッチ・ブレーキ部
１０８，１１１  モータ
１１５，１４０，１４５，１４８，１４９  センサ
１１６，１３４，１５１，１５２  カウンタ
１１７  制御部
１１８  キーボード
１３３  ロータリーエンコーダ
１４６  センサユニット
１４１  トルク検出器
１５５  巻心
１５８  鍔
【図１】
0003609143.tif 000002
【図２】
0003609143.tif 000003
【図３】
0003609143.tif 000004
【図４】
0003609143.tif 000005
【図５】
0003609143.tif 000006
【図６】
0003609143.tif 000007
【図７】
0003609143.tif 000008
【図８】
0003609143.tif 000009
【図９】
0003609143.tif 000010
【図１０】
0003609143.tif 000011
【図１１】
0003609143.tif 000012
【図１２】
0003609143.tif 000013
【図１３】
0003609143.tif 000014
【図１４】
0003609143.tif 000015
【図１５】
0003609143.tif 000016
【図１６】
0003609143.tif 000017
【図１７】
0003609143.tif 000018
【図１８】
0003609143.tif 000019